(57)【要約】【課題】前後二重のスクリーンの相対移動による採光量の調整時、更には昇降操作の切り替え時に、ウェイトバーの大型化を抑えつつウェイトバーが上下動することを防止可能としたロールスクリーンを提供する。【解決手段】本発明のロールスクリーンは、第１及び第２スクリーン５ａ，５ｂの各上端を所定の相対移動範囲を持つよう空回りさせて巻き取り、或いは巻戻し可能とする巻取軸４ａ，４ｂ、及びウェイトバー７を備える。ウェイトバー７は、第１スクリーン５ａの下端部を固定するボトムフレーム７ａと、第２スクリーン５ｂの下端部を出し入れ可能に予備保持するボトムパイプ７ｂとを備える。ボトムパイプ７ｂは、ボトムパイプ７ｂに対して、第２スクリーン５ｂの下端部を予備保持するよう付勢するスプリングモーター４１を有する。【選択図】図１
2018035564.tif 000002
【特許請求の範囲】
【請求項１】
前後二重のスクリーンを吊下するロールスクリーンであって、
前後二重のスクリーンにおける第１スクリーン及び第２スクリーンの各上端を所定の相対移動範囲を持つよう空回りさせて巻き取り、或いは巻戻し可能とする巻取手段と、
当該前後二重のスクリーンを張設するための錘部材とを備え、
前記錘部材は、
前記第１スクリーンの下端部を固定するボトムフレームと、
前記第２スクリーンの下端部を出し入れ可能に予備保持する回転部材と、
を備えることを特徴とするロールスクリーン。
【請求項２】
前記錘部材は、前記回転部材に対し、当該相対移動範囲に対応する長さで前記第２スクリーンの下端部を予備保持するよう付勢する付勢手段を更に備えることを特徴とする、請求項１に記載のロールスクリーン。
【請求項３】
前記回転部材は、前記ボトムフレームに隣接配置されるか、又は前記ボトムフレームに収容されるよう構成されていることを特徴とする、請求項１又は２に記載のロールスクリーン。
【請求項４】
前記第１スクリーン及び第２スクリーンは、それぞれ透光部及び遮光部を有し、当該前後二重のスクリーンにおける透光状態と遮光状態の切り替えを可能とするよう構成されていることを特徴とする、請求項１から３のいずれか一項に記載のロールスクリーン。
【請求項５】
当該所定の相対移動範囲は、当該前後二重のスクリーンにおける透光状態と遮光状態の切り替えを可能とする範囲以上に設定されていることを特徴とする、請求項１から４のいずれか一項に記載のロールスクリーン。
【請求項６】
前記巻取手段は、前記第１スクリーン及び第２スクリーンをそれぞれ吊下する２つの巻取軸と、当該前後二重のスクリーンに当該相対移動範囲を持たせるよう空回りさせる空回り機構と有することを特徴とする、請求項１から５のいずれか一項に記載のロールスクリーン。
【請求項７】
前記第１スクリーン及び第２スクリーンは、同一ピッチで透光部及び遮光部が交互に繰り返される平行模様、斜平行模様、又は市松模様を含む千鳥模様、或いは前記錘部材が下限位置にあるときに所定の上端近傍領域と下端近傍領域のいずれか一方又は双方が透光状態や遮光状態の切り替えを可能とする複数の領域を持つ複数領域模様を有することを特徴とする、請求項１から６のいずれか一項に記載のロールスクリーン。
【発明の詳細な説明】
【技術分野】
【０００１】
本発明は、複数枚のスクリーンを重ね合わせた状態で吊下支持するロールスクリーンに関し、特に、そのスクリーンの重なり方を調節することにより、室内への採光量を調整可能としたロールスクリーンに関する。
【背景技術】
【０００２】
従来、二重に重ね合わせたスクリーンを上下方向に相対移動させて室内への採光量を調節可能としたロールスクリーンが提案されている（例えば、特許文献１参照）。
【０００３】
このようなロールスクリーンでは、スクリーンに、光を一部透過させる透光部と、光を遮る遮光部とが縞状に交互に形成され、このスクリーンが二重に重ね合わされた状態で吊下支持されている。そして、操作手段の操作により、前後のスクリーンを上下方向に相対移動させて、透光部と遮光部との重なり具合を調整することにより、採光量を調節可能となっている。
【０００４】
また、２枚のスクリーンを重ね合わせ、それぞれのスクリーンの上端部をそれぞれ別個の巻取軸に巻き取り、或いは巻き戻してスクリーンを昇降可能としたロールスクリーンが開示されている（例えば、特許文献２参照）。特許文献２に開示されるロールスクリーンでは、操作紐の操作により、常には各巻取軸が同期して同方向に回転されて、２枚のスクリーンが同時に昇降される。また、採光量の調整時には、スクリーンの昇降操作の後、操作紐を逆方向に操作すると、一方の巻取軸のみが所定の回転角度内で回転されて、透光部と遮光部が上下方向に相対移動することにより、透光部に対する遮光部の重なり幅を調整し採光量を調節可能としている。そして、特許文献２に開示されるロールスクリーンでは、スクリーンの相対移動範囲を外部から調整可能としている。
【０００５】
一方、２枚のスクリーンを重ね合わせ、それぞれのスクリーンの上端部を二重構造の巻取軸で巻き取り、或いは巻き戻してスクリーンを昇降可能としたロールスクリーンが開示されている（例えば、特許文献３参照）。特許文献３の技法では、それぞれのスクリーンの下端部にそれぞれ個別に２つのウェイトバーを取着し、この２つのウェイトバーを収容する単一のカバーを設け、このカバーを２つのウェイトバーに対し自重により相対移動可能にして、透光部に対する遮光部の重なり幅を調整する際に、２つのウェイトバーの相対的な上下動をそのカバー内部で行わせるように構成している。
【先行技術文献】
【特許文献】
【０００６】
【特許文献１】特許第３３４９８１２号明細書
【特許文献２】特許第５５３９８３６号明細書
【特許文献３】特許第４８００８７６号明細書
【発明の概要】
【発明が解決しようとする課題】
【０００７】
特許文献１，２に開示される技法では、透光部に対する遮光部の重なり幅を調整して採光量を調節する際に、スクリーンの下限に設けられるウェイトバーの高さが上下動してしまうという問題がある。このようなウェイトバーの高さの上下動が生じると、ウェイトバーの下端部からの光漏れが生じることや、気密性を損なうなどの問題が生じる。
【０００８】
また、特許文献３に開示される技法では、２つのウェイトバーを収容する単一のカバーが当該採光量の調整に必要な分だけ高さ方向に大型化してしまい意匠性を損なうという問題がある。
【０００９】
このため、前後二重のスクリーンの相対移動による採光量の調整時、更には昇降操作の切り替え時に、ウェイトバーの大型化を抑えつつウェイトバーの上下動を防止し、特に下限位置にあるウェイトバーにより、採光量を調節可能な態様でその下方からの光漏れを防止することや、通気量を調節可能な態様で気密性を高める技法が望まれる。
【００１０】
本発明の目的は、上述の問題に鑑みて、前後二重のスクリーンの相対移動による採光量の調整時、更には昇降操作の切り替え時に、ウェイトバーの大型化を抑えつつウェイトバーが上下動することを防止可能としたロールスクリーンを提供することにある。
【課題を解決するための手段】
【００１１】
本発明のロールスクリーンは、前後二重のスクリーンを吊下するロールスクリーンであって、前後二重のスクリーンにおける第１スクリーン及び第２スクリーンの各上端を所定の相対移動範囲を持つよう空回りさせて巻き取り、或いは巻戻し可能とする巻取手段と、当該前後二重のスクリーンを張設するための錘部材とを備え、前記錘部材は、前記第１スクリーンの下端部を固定するボトムフレームと、前記第２スクリーンの下端部を出し入れ可能に予備保持する回転部材と、を備えることを特徴とする。
【００１２】
また、本発明のロールスクリーンにおいて、前記錘部材は、前記回転部材に対し、当該相対移動範囲に対応する長さで前記第２スクリーンの下端部を予備保持するよう付勢する付勢手段を更に備えることを特徴とする。
【００１３】
また、本発明のロールスクリーンにおいて、前記回転部材は、前記ボトムフレームに隣接配置されるか、又は前記ボトムフレームに収容されるよう構成されていることを特徴とする。
【００１４】
また、本発明のロールスクリーンにおいて、前記第１スクリーン及び第２スクリーンは、それぞれ透光部及び遮光部を有し、当該前後二重のスクリーンにおける透光状態と遮光状態の切り替えを可能とするよう構成されていることを特徴とする。
【００１５】
また、本発明のロールスクリーンにおいて、当該所定の相対移動範囲は、当該前後二重のスクリーンにおける透光状態と遮光状態の切り替えを可能とする範囲以上に設定されていることを特徴とする。
【００１６】
また、本発明のロールスクリーンにおいて、前記巻取手段は、前記第１スクリーン及び第２スクリーンをそれぞれ吊下する２つの巻取軸と、当該前後二重のスクリーンに当該相対移動範囲を持たせるよう空回りさせる空回り機構と有することを特徴とする。
【００１７】
また、本発明のロールスクリーンにおいて、前記第１スクリーン及び第２スクリーンは、同一ピッチで透光部及び遮光部が交互に繰り返される平行模様、斜平行模様、又は市松模様を含む千鳥模様、或いは前記錘部材が下限位置にあるときに所定の上端近傍領域と下端近傍領域のいずれか一方又は双方が透光状態や遮光状態の切り替えを可能とする複数の領域を持つ複数領域模様を有することを特徴とする。
【発明の効果】
【００１８】
本発明によれば、前後二重のスクリーンを相対移動させる際に、ウェイトバーの上下動を防止することができる。特に、前後二重のスクリーンの相対移動による採光量の調整時、更には昇降操作の切り替え時に、ウェイトバーの大型化を抑えつつウェイトバーの上下動を防止可能となる。
【図面の簡単な説明】
【００１９】
【図１】本発明による第１実施形態のロールスクリーンの概略構成を示す正面図である。
【図２】本発明による第１実施形態のロールスクリーンの概略構成を示す断面側面図である。
【図３】（ａ），（ｂ）は、それぞれ本発明による第１実施形態のロールスクリーンにおける操作装置の概略構成を示す断面側面図と、その被動歯車の構成を示す分解斜視図である。
【図４】（ａ），（ｂ）は、それぞれ本発明による第１実施形態のロールスクリーンにおける一実施例のウェイトバーの概略構成を部分的に示す斜視図と断面側面図である。
【図５】（ａ），（ｂ）、並びに（ｃ），（ｄ）は、それぞれ本発明による第１実施形態のロールスクリーンにおけるウェイトバーの動作を説明するための被動歯車とウェイトバーの断面側面図である。
【図６】（ａ），（ｂ）は、それぞれ本発明による第１実施形態のロールスクリーンにおける第１変形例のウェイトバーの概略構成を部分的に示す斜視図と、対応する断面側面図である。
【図７】（ａ），（ｂ）は、それぞれ本発明による第１実施形態のロールスクリーンにおける第２変形例のウェイトバーの概略構成を部分的に示す斜視図と、対応する断面側面図である。
【図８】（ａ），（ｂ）は、それぞれ本発明による第２実施形態のロールスクリーンの概略構成と、操作装置の概略構成を示す断面側面図である。
【図９】（ａ）乃至（ｄ）は、それぞれ本発明による各実施形態のロールスクリーンに適用可能な変形例の巻取軸の概略構成を示す斜視図、並びに断面側面図である。
【図１０】（ａ）乃至（ｃ）は、それぞれ本発明による各実施形態のロールスクリーンに適用可能な変形例の生地を持つスクリーンの概略構成を示す正面図である。
【発明を実施するための形態】
【００２０】
以下、図面を参照して、本発明による各実施形態のロールスクリーンを説明する。尚、本願明細書中、図１に示すロールスクリーンの正面図に対して、図示上方及び図示下方をスクリーンの吊り下げ方向に準じてそれぞれ上方向（又は上側）及び下方向（又は下側）と定義し、図示左方向をロールスクリーンの左側、及び、図示右方向をロールスクリーンの右側と定義して説明する。また、以下に説明する例では、図１に示すロールスクリーンの正面図に対して、視認する側を前側（又は室内側）、その反対側を後側（又は室外側）とする。
【００２１】
〔第１実施形態〕
（ロールスクリーンの構成）
まず、本発明による第１実施形態のロールスクリーンを図面に従って説明する。図１及び図２に示す第１実施形態のロールスクリーンは、取付ブラケット１を介して窓枠等の取付面に取着されるフレーム２の両端に支持ブラケット３が取着され、その支持ブラケット３に２本の巻取軸４ａ，４ｂが回転可能に支持されている。
【００２２】
巻取軸４ａ，４ｂは、支持ブラケット３に上下方向に所定の間隔を隔てて支持されるとともに、前後方向に僅かにオフセットした状態で支持されている。
【００２３】
巻取軸４ａには室外側の第１スクリーン５ａの上端部が取着され、巻取軸４ｂには室内側の第２スクリーン５ｂの上端部が取着されている。そして、第１及び第２スクリーン５ａ，５ｂは巻取軸４ａ，４ｂから近接して重ね合わされるように垂下されている。
【００２４】
本例では、特に、図２に示すように、巻取軸４ａ，４ｂでは、それぞれその室外側から第１及び第２スクリーン５ａ，５ｂを支持する構成としている。
【００２５】
巻取軸４ａ，４ｂ内には、それぞれ第１及び第２スクリーン５ａ，５ｂの巻上時の操作力を軽減するスプリングモーター４１、及び各巻取軸４ａ，４ｂの回転トルクに所定の制動力を付与するブレーキユニット４２等が収容されている。
【００２６】
ウェイトバー７は、主として、巻取軸４ａ，４ｂと略平行に延びるボトムフレーム７ａ及びボトムパイプ７ｂにより構成され、ボトムフレーム７ａ及びボトムパイプ７ｂの左右両端は、それぞれサイドキャップ７ｃに上下方向に所定の間隔を隔てて支持されている。
【００２７】
そして、第１スクリーン５ａの下端部はウェイトバー７の一部を構成するボトムフレーム７ａに取着され、第２スクリーン５ｂの下端部は、ウェイトバー７の一部を構成する予備保持可能なボトムパイプ７ｂに取着されている。本例では、ボトムパイプ７ｂは、ボトムフレーム７ａに上下方向で隣接配置されている。
【００２８】
ボトムフレーム７ａは、左右両側のサイドキャップ７ｃに対し相対回転不能に固定されている。
【００２９】
一方、ボトムパイプ７ｂは、左右両側のサイドキャップ７ｃに対し相対回転可能に支持されている。ボトムパイプ７ｂの内部には、スプリングモーター７１が収容されており、巻取軸４ｂから垂下される第２スクリーン５ｂにたわみが生じないよう、このスプリングモーター７１により、常に、第２スクリーン５ｂの下端部を予備保持（本例では予備巻き）している。従って、ボトムパイプ７ｂは、ウェイトバー７の観点から、第２スクリーン５ｂの下端部を出し入れ可能に予備保持する回転部材として構成されている。
【００３０】
第１及び第２スクリーン５ａ，５ｂは、光を透過する透光部８と、光を遮光する遮光部９が等間隔で上下方向に縞状に形成されている。そして、第１及び第２スクリーン５ａ，５ｂの透光部８が重なる状態では、その透光部８から外光を採り入れ可能であり、第１及び第２スクリーン５ａ，５ｂの透光部８と遮光部９が重なる状態では、外光を遮断可能となっている。
【００３１】
尚、第１及び第２スクリーン５ａ，５ｂに設けられる透光部８は高通気性とし、遮光部９は低通気性を持つよう構成することができる。従って、透光部８に対する遮光部９の重なり幅を調整することで、その通気性を調節することもできる。
【００３２】
図１に示す右方の支持ブラケット３には操作装置１０が取着され、その操作装置１０から無端状のボールチェーン１１が垂下されている。そして、ボールチェーン１１の操作により、巻取軸４ａ，４ｂを同方向に同一速度で回転させて、第１及び第２スクリーン５ａ，５ｂを一括して昇降可能となっている。
【００３３】
また、第１及び第２スクリーン５ａ，５ｂを昇降操作した後に、ボールチェーン１１を逆方向に引くと、下方の巻取軸４ｂのみを所定角度に限り回転させて、第１及び第２スクリーン５ａ，５ｂを上下方向に相対移動操作可能となっている。
【００３４】
ボールチェーン１１は、コネクタ１２で連結されて無端状に形成されるとともに、第１及び第２スクリーン５ａ，５ｂの昇降範囲を規制する規制部材１３ａ，１３ｂが取着されている。
【００３５】
そして、第１及び第２スクリーン５ａ，５ｂが上限まで引き上げられたとき、規制部材１３ａは操作装置１０のケース１４の背面側に当接して、ボールチェーン１１の同方向へのそれ以上の操作が阻止される。また、第１及び第２スクリーン５ａ，５ｂが下限まで下降したとき、規制部材１３ｂはケース１４の前面側に当接して、ボールチェーン１１の同方向へのそれ以上の操作が阻止される。
【００３６】
コネクタ１２は、ボールチェーン１１のボールを係止するボール係止部と、そのボール係止部を連結する連結部とで構成され、あらかじめ設定された引張り力以上の力で引っ張られると、ボール係止部が連結部から外れるようになっている。
【００３７】
次に、操作装置１０の具体的構成を示す。図１に示すように、操作装置１０のケース１４内にはプーリー１５が回転可能に支持され、そのプーリー１５にボールチェーン１１が掛装されている。そして、ボールチェーン１１の操作によりプーリー１５が正逆方向に回転される。
【００３８】
そして、操作装置１０は、図３（ａ）に示す構造により、第１及び第２スクリーン５ａ，５ｂの昇降操作時の透光部８と遮光部９の重なり具合を調整する機能を有している。
【００３９】
図３（ａ）に示すように、プーリー１５には駆動歯車１６が一体に形成され、その駆動歯車１６に噛み合う伝達歯車１７がケース１４に回転可能に支持されている。
【００４０】
また、ケース１４内の上方において、伝達歯車１７に噛み合う被動歯車３１がケース１４に回転可能に支持されている。駆動歯車１６と被動歯車３１の歯数は同数であり、駆動歯車１６の回転に基づいて被動歯車３１は駆動歯車１６と同方向に同一速度で回転される。
【００４１】
ケース１４内に回転可能に支持される被動歯車３１には、ボールチェーン１１の操作に基づいて回転される駆動歯車１６から伝達歯車１７を介して回転力が付与され、駆動歯車１６と被動歯車３１は同一速度で同方向に回転される。
【００４２】
駆動歯車１６の中心軸は、巻取軸４ｂの中心軸と同軸上にあり、駆動歯車１６は、巻取軸４ｂの右端部側に位置して相対回転不能に係合している。また、被動歯車３１の中心軸は、巻取軸４ａの中心軸と同軸上にあり、被動歯車３１は、図３（ｂ）に示すように、歯車部３２と伝達軸部３３とで構成され、歯車部３２が伝達軸部３３に回転可能に支持されている。そして、伝達軸部３３の中心部に形成された係合孔３４が巻取軸４ａの右端部に係合して、伝達軸部３３と巻取軸４ａとが一体に回転するようになっている。
【００４３】
歯車部３２には径方向に扇状に突出する伝達片３５が形成され、伝達軸部３３には径方向に扇状に突出する伝達片３６が伝達片３５の回動軌跡上に設けられている。伝達片３５，３６は、それぞれ中心に対し６０度の範囲で形成される。従って、歯車部３２は伝達軸部３３に対し最大で２４０度の範囲で空回り可能である。この角度は、透光部８の上下幅と、巻取軸４ａ，４ｂの径によって決まる角度である。
【００４４】
歯車部３２の一端にはネジ孔３７が形成され、そのネジ孔３７にはネジ軸３８が螺合されている。ネジ軸３８の先端には六角孔３９が形成され、六角レンチを嵌合可能となっている。そして、六角レンチでネジ軸３８を回動操作することにより、ネジ孔３７からのネジ軸３８の突出長さを調節可能となっている。
【００４５】
ネジ軸３８は歯車部３２の回転に基づいてその先端が伝達片３６に当接する。従って、ネジ軸３８の突出長さを調整すると、歯車部３２の伝達片３５が伝達軸部３３の伝達片３６に当接するまでの空回り角度を調整することができる。
【００４６】
ケース１４の外側面には、図３（ａ）に示すように、歯車部３２の伝達片３５の回動位置を外部から確認するための目視孔４０が形成されている。また、ケース１４の後方側面には六角レンチを挿通可能とした操作孔４１が形成され、伝達片３５が目視孔４０で目視できる位置に達すると、操作孔４１から挿入した六角レンチを六角孔３９に容易に嵌合可能となっており、これによりネジ孔３７からのネジ軸３８の突出長さを調節可能とし、駆動歯車１６の回転に対して伝達歯車１７を介して回転する被動歯車３１の空回り角度を容易に調整できるようにしている。
【００４７】
従って、駆動歯車１６の回転に基づいて巻取軸４ｂが回転され、駆動歯車１６の回転に基づいて、伝達歯車１７を介して当該空回り角度を有して被動歯車３１が回転すると、巻取軸４ａが同一速度で同方向に回転するようになっている。
【００４８】
即ち、図２に示すように、巻取軸４ｂを回転させる駆動歯車１６が矢印Ａ方向に回転するとき、伝達片３６が伝達片３５に当接するまでの角度範囲では、被動歯車３１の回転が巻取軸４ａに伝達されず、伝達片３６が伝達片３５に当接すると巻取軸４ａが矢印Ａ方向に回転するよう伝達される。
【００４９】
同様に、図２に示すように、巻取軸４ｂを回転させる駆動歯車１６が矢印Ｂ方向に回転するとき、伝達片３６が伝達片３５に当接するまでの角度範囲では、被動歯車３１の回転が巻取軸４ａに伝達されず、伝達片３６が伝達片３５に当接すると巻取軸４ａが矢印Ｂ方向に回転するよう伝達される。
【００５０】
このような動作により、前記スクリーン５ａ，５ｂを一括して昇降操作した後に、ボールチェーン１１を逆方向に操作して、駆動歯車１６を逆方向に回転させたとき、被動歯車３１がほぼ２４０度回転するまでは、巻取軸４ａは回転されず、巻取軸４ｂのみが回転される。
【００５１】
ここで、第１及び第２スクリーン５ａ，５ｂは、ウェイトバー７を下限位置まで下降させたとき、巻取軸４ａ，４ｂに対し所定回転分（例えば１回転分）の余巻が残るように取着されている。このように、巻取軸４ａ，４ｂは、前後二重のスクリーンにおける第１スクリーン５ａ及び第２スクリーン５ｂの各上端を所定の相対移動範囲を持つよう空回りさせて巻き取り、或いは巻戻し可能とするよう構成されている。
【００５２】
尚、上述した操作装置１０の構成は単なる一例を示したものであり、例えば特許文献２に開示される各種の操作装置１０の構成と同様のものとすることができる。
【００５３】
（ウェイトバーの一実施例）
次に、本発明に係る一実施例のウェイトバー７の具体的構成について説明する。図１に示すように、ウェイトバー７は、主として、巻取軸４ａ，４ｂと略平行に延びるボトムフレーム７ａ及びボトムパイプ７ｂにより構成され、ボトムフレーム７ａ及びボトムパイプ７ｂの左右両端は、それぞれサイドキャップ７ｃに上下方向に所定の間隔を隔てて支持されている。
【００５４】
より具体的に図４（ａ），（ｂ）に示すように、本実施例のウェイトバー７では、第１スクリーン５ａの下端部はウェイトバー７の一部を構成するボトムフレーム７ａに取着され、第２スクリーン５ｂの下端部は、ウェイトバー７の一部を構成する予備保持可能なボトムパイプ７ｂに取着されている。従って、ボトムパイプ７ｂは、ウェイトバー７の観点から、第２スクリーン５ｂの下端部を出し入れ可能に予備保持する回転部材として構成されている。
【００５５】
ボトムフレーム７ａは、本例ではパイプ状に構成され、左右両側のサイドキャップ７ｃに対し相対回転不能に固定されている。特に、意匠性の観点から、ボトムフレーム７ａの表面が露出しないよう、ボトムフレーム７ａには第２スクリーン５ｂの下端部が巻き付けられて固定されている。
【００５６】
一方、ボトムパイプ７ｂも同様にパイプ状に構成されるが、本例のパイプ状のボトムフレーム７ａよりも拡径した断面径を有し、尚且つ、左右両側のサイドキャップ７ｃに対し相対回転可能に支持されている。尚、ボトムパイプ７ｂの断面径は、第２スクリーン５ｂの透光部８及び遮光部９の１ピッチ分を少なくとも予備保持するのに十分な径とする。
【００５７】
ボトムパイプ７ｂの内部には、スプリングモーター７１が収容されており、巻取軸４ｂから垂下される第２スクリーン５ｂにたわみが生じないよう、このスプリングモーター７１により、常に、第２スクリーン５ｂの下端部を予備保持する付勢力（図４（ｂ）に示す破線矢印）が働いている。
【００５８】
即ち、上述したように、図２に示す巻取軸４ｂを回転させる駆動歯車１６が矢印Ａ方向に回転するとき、被動歯車３１における伝達片３６が伝達片３５に当接するまでの角度範囲では、被動歯車３１の回転が巻取軸４ａに伝達されないため、巻取軸４ｂのみが回転し巻取軸４ａは回転しない。
【００５９】
このとき、ウェイトバー７では、図４（ｂ）に示すように、巻取軸４ａから垂下される第１スクリーン５ａは移動せず、巻取軸４ｂから垂下される第２スクリーン５ｂは図４（ｂ）に示す上方向に移動する。すると、スプリングモーター７１の付勢力に抗してボトムパイプ７ｂはＡ方向に回転し、ボトムパイプ７ｂにより予備保持している第２スクリーン５ｂの下端部がウェイトバー７から引き出される（ボトムパイプ７ｂにより予備巻きしている第２スクリーン５ｂの下端部が巻き戻される）。これにより、第１及び第２スクリーン５ａ，５ｂにおける透光部８と遮光部９との重なり具合を調整することができ、採光量を調節することができる。
【００６０】
また、第１及び第２スクリーン５ａ，５ｂは、ウェイトバー７の自重により張設されているから、第２スクリーン５ｂにおける上方向の移動では、第２スクリーン５ｂにたわみは生じない。
【００６１】
第２スクリーン５ｂを上方向へ移動の後に、再び、図１に示す巻取軸４ｂを回転させる駆動歯車１６が矢印Ｂ方向に回転するとき、伝達片３６が伝達片３５に当接するまでの角度範囲では、被動歯車３１の回転が巻取軸４ａに伝達されないため、巻取軸４ｂのみが回転し巻取軸４ａは回転しない。
【００６２】
このとき、ウェイトバー７では、図４（ｂ）に示すように、巻取軸４ａから垂下される第１スクリーン５ａは移動せず、巻取軸４ｂから垂下される第２スクリーン５ｂは図４（ｂ）に示す下方向に移動する。すると、スプリングモーター７１の付勢力によってボトムパイプ７ｂはＢ方向に回転し、ボトムパイプ７ｂにより予備保持するよう第２スクリーン５ｂの下端部がウェイトバー７に引き入れられる（ボトムパイプ７ｂにより予備巻きするよう第２スクリーン５ｂの下端部が巻き取られる）。これにより、再び、第１及び第２スクリーン５ａ，５ｂにおける透光部８と遮光部９との重なり具合を調整することができ、採光量を調節することができる。
【００６３】
また、第１及び第２スクリーン５ａ，５ｂは、ウェイトバー７の自重により張設されているとともに、スプリングモーター７１の付勢力によってボトムパイプ７ｂにて予備保持されるよう動作するから、第２スクリーン５ｂにおける下方向の移動においても、第２スクリーン５ｂにたわみは生じない。
【００６４】
更に、このような被動歯車３１における伝達片３６が伝達片３５に当接するまでの角度範囲での採光量の調節動作を繰り返しても、第１スクリーン５ａに対する第２スクリーン５ｂの相対移動量は、ボトムパイプ７ｂにおける予備保持量（本例では、予備巻き量）で調節できるようになっているから、ウェイトバー７を上下動させることなく採光量の調節動作を行うことができる。
【００６５】
例えば、図５（ａ）に示す被動歯車３１における伝達片３６と伝達片３５との相対角度位置で、図５（ｂ）に示すように高さｈの位置にあるウェイトバー７にて、第１及び第２スクリーン５ａ，５ｂにおける透光部８と遮光部９とが前後方向で重なる状態にあるとする。この状態で、図５（ｃ）に示すように歯車部３２を伝達軸部３３に対し約２４０度の範囲で空回りさせ、被動歯車３１における伝達片３６を伝達片３５の他方の端部へと相対回転させることで、ウェイトバー７を上下動させることなく高さｈの位置にあるウェイトバー７にて、図５（ｄ）に示すように第１及び第２スクリーン５ａ，５ｂにおける透光部８と遮光部９とが前後方向で略平行となる状態にすることができる。
【００６６】
このように、前後二重のスクリーンを構成する第１スクリーン５ａ及び第２スクリーン５ｂが、それぞれ透光部８及び遮光部９を有するよう構成することで、当該前後二重のスクリーンにおける透光状態と遮光状態の切り替えが可能となる。これにより、第１及び第２スクリーン５ａ，５ｂの相対移動で、採光量を調節することができる。また、透光部８は高通気性とし、遮光部９は低通気性を持つよう構成することができる。従って、透光部８に対する遮光部９の重なり幅を調整することで、その通気性を調節することもできる。
【００６７】
この第１及び第２スクリーン５ａ，５ｂの相対移動動作は、ウェイトバー７が下限位置であるか否かに関わらず同様に動作する。特に、当該相対移動動作による相対移動範囲は、当該前後二重のスクリーンにおける透光状態と遮光状態の切り替えを可能とする範囲以上に設定されている。従って、ウェイトバー７の任意位置で設定自由度の高い調光機能、或いは通気調整機能を持たせたロールスクリーンを実現できる。
【００６８】
特に、ウェイトバー７が下限位置にあるときに、採光量を調節可能な態様でウェイトバー７の下方からの光漏れを防止することや、通気量を調節可能な態様でウェイトバー７の下方からの気密性を高めることができる。
【００６９】
そして、ボールチェーン１１を操作して、被動歯車３１における伝達片３６と伝達片３５とが当接する方向に採光量を調節した状態から、更に同方向に回転させることで、巻取軸４ａ，４ｂが同一速度で回転し、第１及び第２スクリーン５ａ，５ｂの巻き取り、或いは巻き戻しにより、第１及び第２スクリーン５ａ，５ｂを昇降させることができる。
【００７０】
また、巻取軸４ａ，４ｂは、前後二重のスクリーンにおける第１スクリーン５ａ及び第２スクリーン５ｂの各上端を所定の相対移動範囲を持つよう空回りさせて巻き取り、或いは巻戻し可能としている一方で、ボトムパイプ７ｂは、当該相対移動範囲に対応する長さを予備保持可能とするスプリングモーター７１を備えている。
【００７１】
このため、第１及び第２スクリーン５ａ，５ｂの相対移動で調節する余剰分は、ボトムパイプ７ｂにより巻き取られるため、ウェイトバー７の小型化にも寄与することとなる。
【００７２】
（ウェイトバーの第１変形例）
次に、図６（ａ）,（ｂ）を参照して、本発明に係る第１変形例のウェイトバー７の具体的構成について説明する。尚、図４にて上述したウェイトバー７と同様な構成要素には同一の参照番号を付している。図６（ａ）,（ｂ）に示すように、本変形例のウェイトバー７においても、第１スクリーン５ａの下端部はウェイトバー７の一部を構成するボトムフレーム７ａに取着され、第２スクリーン５ｂの下端部は、ウェイトバー７の一部を構成する予備保持可能なボトムパイプ７ｂに取着されている。従って、ボトムパイプ７ｂは、ウェイトバー７の観点から、第２スクリーン５ｂの下端部を出し入れ可能に予備保持する回転部材として構成されている。
【００７３】
ただし、本変形例のウェイトバー７では、ボトムフレーム７ａについて巻取軸４ａ，４ｂと略平行に延びるボトムパイプ７ｂを相対回転可能に収容する形状となっており、ボトムフレーム７ａ及びボトムパイプ７ｂの左右両端は、それぞれサイドキャップ７ｃに支持されている。
【００７４】
より具体的に図６（ａ），（ｂ）に示すように、ボトムフレーム７ａは、上方を開口した、ボトムパイプ７ｂを収容するボトムカバーとして構成され、左右両側のサイドキャップ７ｃに対し相対回転不能に固定されている。そして、第１スクリーン５ａの下端部は、図６（ｂ）に示すように、ボトムフレーム７ａの取付部７２（本例ではボトムフレーム７ａの内壁）に面ファスナー等を利用して取着されて固定されている。
【００７５】
一方、ボトムパイプ７ｂは、図４にて上述した実施例と同様にパイプ状の錘部材として構成され、左右両側のサイドキャップ７ｃに対し相対回転可能に支持されている。尚、ボトムパイプ７ｂの断面径は、第２スクリーン５ｂの透光部８及び遮光部９の１ピッチ分を少なくとも予備保持するのに十分な径とする。
【００７６】
ボトムパイプ７ｂの内部には、図４にて上述した実施例と同様にスプリングモーター７１が収容されており、巻取軸４ｂから垂下される第２スクリーン５ｂにたわみが生じないよう、このスプリングモーター７１により、常に、第２スクリーン５ｂの下端部を予備保持する付勢力（図６（ｂ）に示す破線矢印）が働いている。
【００７７】
そして、第１及び第２スクリーン５ａ，５ｂは、ボトムカバーとして構成されるボトムフレーム７ａの上方の開口部を経て上方へ案内されている。
【００７８】
このように構成した図６に示す変形例のウェイトバー７は、図４にて上述した実施例のウェイトバー７の利点を全て包含する。
【００７９】
即ち、上述したように、図２に示す巻取軸４ｂを回転させる駆動歯車１６が矢印Ａ方向に回転するとき、被動歯車３１における伝達片３６が伝達片３５に当接するまでの角度範囲では、被動歯車３１の回転が巻取軸４ａに伝達されないため、巻取軸４ｂのみが回転し巻取軸４ａは回転しない。
【００８０】
このとき、ウェイトバー７では、図６（ｂ）に示すように、巻取軸４ａから垂下される第１スクリーン５ａは移動せず、巻取軸４ｂから垂下される第２スクリーン５ｂは図６（ｂ）に示す上方向に移動する。すると、スプリングモーター７１の付勢力に抗してボトムパイプ７ｂはＡ方向に回転し、ボトムパイプ７ｂにて予備保持している第２スクリーン５ｂの下端部が巻き戻される。これにより、第１及び第２スクリーン５ａ，５ｂにおける透光部８と遮光部９との重なり具合を調整することができ、採光量を調節することができる。
【００８１】
また、第１及び第２スクリーン５ａ，５ｂは、ウェイトバー７の自重により張設されているとともに、スプリングモーター７１の付勢力によってボトムパイプ７ｂにて予備巻きするよう動作するから、ボトムパイプ７ｂがＢ方向に回転し第２スクリーン５ｂが下方へ移動する場合も同様に採光量を調節することができる。従って、第２スクリーン５ｂにおける上下いずれの方向の移動においても、第２スクリーン５ｂにたわみは生じない。
【００８２】
更に、このような採光量の調節動作を繰り返しても、第１スクリーン５ａに対する第２スクリーン５ｂの相対移動量は、ボトムパイプ７ｂにおける予備保持量（本例では予備巻き量）で調節できるようになっているから、ウェイトバー７を上下動させることなく採光量の調節動作を行うことができる。
【００８３】
そして、第１及び第２スクリーン５ａ，５ｂの相対移動動作は、ウェイトバー７が下限位置であるか否かに関わらず同様に動作するため、ウェイトバー７の任意位置での調光機能、或いは通気調整機能を持たせたロールスクリーンを実現できる。
【００８４】
特に、ウェイトバー７が下限位置にあるときに、採光量を調節可能な態様でウェイトバー７の下方からの光漏れを防止することや、通気量を調節可能な態様でウェイトバー７の下方からの気密性を高めることができる。
【００８５】
また、第１及び第２スクリーン５ａ，５ｂの相対移動で調節する余剰分は、ボトムパイプ７ｂにより巻き取られるため、ウェイトバー７の小型化にも寄与することとなる。
【００８６】
加えて、図６に示す第１変形例のウェイトバー７は、以下の利点がある。
【００８７】
まず、ボトムフレーム７ａをボトムパイプ７ｂに対するボトムカバーとして構成しているため、ウェイトバー７の小型化により一層寄与するものとなる。
【００８８】
更に、第１及び第２スクリーン５ａ，５ｂをボトムカバーとして構成しているボトムフレーム７ａの上方の開口部を経て上方へ案内するようにしているため、この開口部の前後方向幅を狭めることで、前後二重の第１及び第２スクリーン５ａ，５ｂをより近接、或いは密着させることができ、第１及び第２スクリーン５ａ，５ｂにおける透光部８と遮光部９とが前後方向で重なる状態としたときに、その遮光性能をより高めることができる。
【００８９】
（ウェイトバーの第２変形例）
次に、図７（ａ）,（ｂ）を参照して、本発明に係る第２変形例のウェイトバー７の具体的構成について説明する。尚、図４にて上述したウェイトバー７と同様な構成要素には同一の参照番号を付している。図７（ａ）,（ｂ）に示すように、本変形例のウェイトバー７においては、第１スクリーン５ａの下端部はウェイトバー７の一部を構成するボトムフレーム７ａに取着されるが、第２スクリーン５ｂの下端部は、ウェイトバー７の一部を構成する予備保持可能な板状のボトムバー７ｄに取着されている。従って、ボトムバー７ｄは、ウェイトバー７の観点から、第２スクリーン５ｂの下端部を出し入れ可能に予備保持する回転部材として構成されている。
【００９０】
より具体的に図７（ａ），（ｂ）に示すように、ボトムフレーム７ａは、上方を開口した、ボトムバー７ｄを収容するボトムカバーとして構成され、左右両側のサイドキャップ７ｃに対し相対回転不能に固定されている。そして、第１スクリーン５ａの下端部は、図７（ｂ）に示すように、ボトムフレーム７ａの取付部７２（本例ではボトムフレーム７ａの内壁）に面ファスナー等を利用して取着されて固定されている。
【００９１】
一方、ボトムバー７ｄは、板状の錘部材として構成され、その一辺が左右両側のサイドキャップ７ｃに対し相対回転可能に支持され、他辺が第２スクリーン５ｂの下端部を取着している。尚、ボトムバー７ｄの回転範囲は、第２スクリーン５ｂの透光部８及び遮光部９の１ピッチ分を少なくとも予備巻きするのに十分な径とする。特に、本変形例のウェイトバー７では、その長手方向にガイド部材７ｅが設けられている。ガイド部材７ｅは、第２スクリーン５ｂの下端部が円状に予備保持されるように湾曲板状に形成され、左右両側のサイドキャップ７ｃに支持されている。ガイド部材７ｅの形状は図示する例に限定するものではないが、このような湾曲板状のガイド部材７ｅをウェイトバー７に設けることにより、第２スクリーン５ｂの下端部を予備保持するのに必要な移動距離を稼ぐことが可能となる。
【００９２】
ボトムバー７ｄの一辺（又は両辺）には、図４にて上述した実施例と同様にスプリングモーター７１の代わりに、ぜんまい７１ａが収容されており、巻取軸４ｂから垂下される第２スクリーン５ｂにたわみが生じないよう、このぜんまい７１ａにより、常に、第２スクリーン５ｂの下端部を予備保持する付勢力（図７（ｂ）に示す破線矢印）が働いている。ただし、本例では小型化することを意図してぜんまい７１ａを利用する例としているが、ボトムバー７ｄの回転軸を付勢するようスプリングモーターを配置する構成とすることも可能である。
【００９３】
そして、第１及び第２スクリーン５ａ，５ｂは、ボトムカバーとして構成されるボトムフレーム７ａの上方の開口部を経て上方へ案内されている。
【００９４】
このように構成した図７に示す変形例のウェイトバー７は、図４にて上述した実施例のウェイトバー７の利点を全て包含する。
【００９５】
即ち、上述したように、図２に示す巻取軸４ｂを回転させる駆動歯車１６が矢印Ａ方向に回転するとき、被動歯車３１における伝達片３６が伝達片３５に当接するまでの角度範囲では、被動歯車３１の回転が巻取軸４ａに伝達されないため、巻取軸４ｂのみが回転し巻取軸４ａは回転しない。
【００９６】
このとき、ウェイトバー７では、図７（ｂ）に示すように、巻取軸４ａから垂下される第１スクリーン５ａは移動せず、巻取軸４ｂから垂下される第２スクリーン５ｂは図７（ｂ）に示す上方向に移動する。すると、ぜんまい７１ａの付勢力に抗してボトムバー７ｄはＡ方向に回転し、ボトムバー７ｄにて予備保持している第２スクリーン５ｂの下端部が吐出される。これにより、第１及び第２スクリーン５ａ，５ｂにおける透光部８と遮光部９との重なり具合を調整することができ、採光量を調節することができる。
【００９７】
また、第１及び第２スクリーン５ａ，５ｂは、ウェイトバー７の自重により張設されているとともに、ぜんまい７１ａの付勢力によってボトムバー７ｄにて予備保持するよう動作するから、ボトムバー７ｄがＢ方向に回転し第２スクリーン５ｂが下方へ移動する場合も同様に採光量を調節することができる。従って、第２スクリーン５ｂにおける上下いずれの方向の移動においても、第２スクリーン５ｂにたわみは生じない。
【００９８】
更に、このような採光量の調節動作を繰り返しても、第１スクリーン５ａに対する第２スクリーン５ｂの相対移動量は、ボトムバー７ｄにおける予備保持量で調節できるようになっているから、ウェイトバー７を上下動させることなく採光量の調節動作を行うことができる。
【００９９】
そして、第１及び第２スクリーン５ａ，５ｂの相対移動動作は、ウェイトバー７が下限位置であるか否かに関わらず同様に動作するため、ウェイトバー７の任意位置での調光機能、或いは通気調整機能を持たせたロールスクリーンを実現できる。
【０１００】
そして、図７に示す第２変形例のウェイトバー７は、図６に示した第１変形例のウェイトバー７の利点を全て包含するものとなる。
【０１０１】
〔第２実施形態〕
次に、図８を参照して、第２実施形態のロールスクリーンについて説明する。尚、上述した第１実施形態のロールスクリーンと同様な構成要素には同一の参照番号を付している。第１及び第２スクリーン５ａ，５ｂにおける透光部８と遮光部９とが前後方向で重なる状態としたときに、その遮光性能を高めるよりも、前後二重の第１及び第２スクリーン５ａ，５ｂ間に積極的に空気層を設けており、断熱作用を働かせるようにしている。ただし、透光部８と遮光部９は、断熱作用を働かせるために、いずれも低通気性とするのが望ましい。
【０１０２】
即ち、図８（ａ）に示すように、本実施形態では、巻取軸４ａではその室外側から第１スクリーン５ａを支持し、巻取軸４ｂではその室内側から第２スクリーン５ｂを支持する構成とし、第１及び第２スクリーン５ａ，５ｂをそれぞれほぼ鉛直方方向へ垂下するようにしている。
【０１０３】
ただし、本実施形態では、巻取軸４ａ，４ｂが逆方向に同一速度で回転可能に構成される。このため、例えば図８（ｂ）に示すように、操作装置１０のケース１４内にて、駆動歯車１６と被動歯車３１との間に、２つの伝達歯車１７が設けられる。この２つの伝達歯車１７の歯数は同数であり、駆動歯車１６と被動歯車３１の歯数は、図３に示すものと同様に同数である。
【０１０４】
尚、駆動歯車１６と被動歯車３１の構造は、それぞれ図３に示すものと同様であり、駆動歯車１６の中心軸は巻取軸４ｂの中心軸と同軸上にあり、駆動歯車１６は巻取軸４ｂの右端部側に位置して相対回転不能に係合している。また、被動歯車３１の中心軸は巻取軸４ａの中心軸と同軸上にあり、被動歯車３１は、図３（ｂ）に示すものと同様に、歯車部３２と伝達軸部３３とで構成され、歯車部３２が伝達軸部３３に回転可能に支持されている。そして、伝達軸部３３の中心部に形成された係合孔３４が巻取軸４ａの右端部に係合して、伝達軸部３３と巻取軸４ａとが一体に回転するようになっている。
【０１０５】
従って、本実施形態では、駆動歯車１６の回転に基づいて巻取軸４ｂが回転され、駆動歯車１６の回転に基づいて、２つの伝達歯車１７を介して所定の空回り角度を有して被動歯車３１が回転すると、巻取軸４ａが同一速度で逆方向に回転するようになっている。
【０１０６】
一方、ウェイトバー７は、ボトムフレーム７ａについて巻取軸４ａ，４ｂと略平行に延びるボトムパイプ７ｂを相対回転可能に収容する例えば箱状形状となっており、ボトムフレーム７ａ及びボトムパイプ７ｂの左右両端は、それぞれサイドキャップ７ｃに支持されている。
【０１０７】
より具体的に図８（ａ）に示すように、ボトムフレーム７ａは、上方を開口したボトムパイプ７ｂを収容する例えば箱状形状のボトムカバーとして構成され、左右両側のサイドキャップ７ｃに対し相対回転不能に固定されている。そして、第１スクリーン５ａの下端部は、ボトムフレーム７ａの取付部７２（本例ではボトムフレーム７ａの内壁）に面ファスナー等を利用して取着されて固定されている。
【０１０８】
一方、ボトムパイプ７ｂは、図４にて上述した実施例と同様にパイプ状に構成され、左右両側のサイドキャップ７ｃに対し相対回転可能に支持されている。尚、ボトムパイプ７ｂの断面径は、第１実施形態の例と同様に、第２スクリーン５ｂの透光部８及び遮光部９の１ピッチ分を少なくとも予備保持するのに十分な径とする。
【０１０９】
ボトムパイプ７ｂの内部には、図４にて上述した第１実施形態の例と同様にスプリングモーター７１が収容されており、巻取軸４ｂから垂下される第２スクリーン５ｂにたわみが生じないよう、このスプリングモーター７１により、常に、第２スクリーン５ｂの下端部を予備保持する付勢力が働いている。
【０１１０】
そして、第１及び第２スクリーン５ａ，５ｂは、例えば箱状形状のボトムカバーとして構成されるボトムフレーム７ａの上方の開口部を経て上方へ案内されている。
【０１１１】
尚、図８にて例示する実施形態では、その基本構造の理解を高めるために、巻取軸４ａ，４ｂによりそれぞれ第１及び第２スクリーン５ａ，５ｂをほぼ鉛直方方向へ垂下し、ウェイトバー７におけるボトムフレーム７ａについては、上方を開口した箱状形状のボトムカバーとして構成する例を説明している。
【０１１２】
しかしながら、実用上では、巻取軸４ｂの下方で前後二重の第１及び第２スクリーン５ａ，５ｂをより近接させるよう、支持ブラケット３の下方に開口部を有する部材を設け、この開口部で前後二重の第１及び第２スクリーン５ａ，５ｂの垂下を案内するように構成する。更に、ウェイトバー７の構造は図６又は図７に示すように構成して、第１及び第２スクリーン５ａ，５ｂをボトムカバーとして構成しているボトムフレーム７ａの上方の開口部を経て上方へ案内するよう構成するのが好適である。
【０１１３】
従って、前後二重の第１及び第２スクリーン５ａ，５ｂ間に積極的に空気層を設ける際に、その第１及び第２スクリーン５ａ，５ｂ間の距離は、随意、設定することができる。
【０１１４】
図８に示す実施形態におけるウェイトバー７においては、第１及び第２スクリーン５ａ，５ｂにおける透光部８と遮光部９とが前後方向で重なる状態としたときに、前後二重の第１及び第２スクリーン５ａ，５ｂ間に積極的に空気層を設けていることから、その遮光性能を高めるよりむしろ断熱作用を働かせるようにしているが、その他については上述した第１実施形態にて例示したウェイトバー７の利点を包含する。
【０１１５】
即ち、上述したように、図８に示す巻取軸４ｂを回転させる駆動歯車１６が矢印Ａ方向に回転するとき、図３を参照して上述したように被動歯車３１における伝達片３６が伝達片３５に当接するまでの角度範囲では、被動歯車３１の回転が巻取軸４ａに伝達されないため、巻取軸４ｂのみが回転し巻取軸４ａは回転しない。巻取軸４ｂを回転させる駆動歯車１６が矢印Ａ方向に回転し、伝達片３６が伝達片３５に当接すると巻取軸４ａが矢印Ａ方向に回転するよう伝達される。
【０１１６】
同様に、図１に示す巻取軸４ｂを回転させる駆動歯車１６が矢印Ｂ方向に回転するとき、図３を参照して上述したように被動歯車３１における伝達片３６が伝達片３５に当接するまでの角度範囲では、被動歯車３１の回転が巻取軸４ａに伝達されないため、巻取軸４ｂのみが回転し巻取軸４ａは回転しない。巻取軸４ｂを回転させる駆動歯車１６が矢印Ｂ方向に回転し、伝達片３６が伝達片３５に当接すると巻取軸４ａが矢印Ｂ方向に回転するよう伝達される。
【０１１７】
このため、第１及び第２スクリーン５ａ，５ｂにおける透光部８と遮光部９との重なり具合を調整することができ、採光量を調節することができる。
【０１１８】
また、第１及び第２スクリーン５ａ，５ｂは、ウェイトバー７の自重により張設されているとともに、スプリングモーター７１の付勢力によってボトムパイプ７ｂにて予備保持するよう動作するから、第２スクリーン５ｂにおける上下いずれの方向の移動においても、第２スクリーン５ｂにたわみは生じない。
【０１１９】
更に、このような被動歯車３１における伝達片３６が伝達片３５に当接するまでの角度範囲での採光量の調節動作を繰り返しても、第１スクリーン５ａに対する第２スクリーン５ｂの相対移動量は、ボトムパイプ７ｂにおける予備保持量で調節できるようになっているから、ウェイトバー７を上下動させることなく採光量の調節動作を行うことができる。
【０１２０】
そして、第１及び第２スクリーン５ａ，５ｂの相対移動動作は、ウェイトバー７が下限位置であるか否かに関わらず同様に動作するため、ウェイトバー７の任意位置での調光機能を持たせたロールスクリーンを実現できる。
【０１２１】
特に、ウェイトバー７が下限位置にあるときに、採光量を調節可能な態様でウェイトバー７の下方からの光漏れを防止することができる。
【０１２２】
また、第１及び第２スクリーン５ａ，５ｂの相対移動で調節する余剰分は、ボトムパイプ７ｂにより巻き取られるため、ウェイトバー７の小型化にも寄与することとなる。
【０１２３】
加えて、図８に例示する本実施形態のウェイトバー７では、第１及び第２スクリーン５ａ，５ｂ間に積極的に空気層を設けるよう構成しているため、断熱作用を働かせるロールスクリーンを構成することができる。
【０１２４】
（巻取軸４ａ，４ｂの変形例）
次に、図９を参照して、巻取軸４ａ，４ｂの変形例について説明する。上述した第１及び第２実施形態のロールスクリーンでは、２枚の第１及び第２スクリーン５ａ，５ｂを重ね合わせ、それぞれの第１及び第２スクリーン５ａ，５ｂの上端部をそれぞれ上下に設けられた巻取軸４ａ，４ｂにより巻き取り、或いは巻き戻して第１及び第２スクリーン５ａ，５ｂを昇降可能とする例を説明した。これにより、第１及び第２スクリーン５ａ，５ｂの相対移動動作としてウェイトバー７が下限位置であるか否かに関わらず同様に動作するため、ウェイトバー７の任意位置での調光機能を持たせたロールスクリーンを実現できる。
【０１２５】
一方、実用上の観点から、ウェイトバー７が下限位置であるときのみ調光機能を持たせるのみでよい場合には、図９（ａ）に示すような二重構造の巻取軸４ａ，４ｂとすることができる。即ち、二重構造の巻取軸４ａ，４ｂにより、２枚の第１及び第２スクリーン５ａ，５ｂを重ね合わせ、それぞれの第１及び第２スクリーン５ａ，５ｂの上端部を巻き取り、或いは巻き戻して第１及び第２スクリーン５ａ，５ｂを昇降可能とするよう構成することができる。
【０１２６】
より具体的に図９（ａ）に示すように、巻取軸４ａ，４ｂの回転中心軸を同一軸上とした、巻取軸４ａが巻取軸４ｂを収容する二重構造とする。巻取軸４ａには軸方向に延在する開口部４７が設けられ、巻取軸４ｂの外表面と巻取軸４ａの内表面には、空間部４８が設けられる。空間部４８は、尚、巻取軸４ｂにより、第２スクリーン５ｂの透光部８及び遮光部９の１ピッチ分を少なくとも予備保持するのに十分な領域とする。
【０１２７】
また、巻取軸４ａの一端部には径方向に扇状に突出する伝達片４５が形成され、巻取軸４ｂの同方向の端部には径方向に扇状に突出する伝達片４６が伝達片４５の回動軌跡上に設けられている。
【０１２８】
尚、図示を省略するが、巻取軸４ａの他端部には、巻取軸４ａに対する相対回転として調光動作を妨げない範囲内で一定のブレーキ力を生じさせる摩擦材が設けられ、巻取軸４ｂ内には、図示を省略するが、第１及び第２スクリーン５ａ，５ｂの巻上時の操作力を軽減するスプリングモーター、及び各巻取軸４ａ，４ｂの回転トルクに所定の制動力を付与するブレーキユニット等が収容されている。
【０１２９】
本例における伝達片４５，４６は、それぞれ中心に対し６０度の範囲で形成される。従って、巻取軸４ｂは巻取軸４ａに対し最大で２４０度の範囲で空回り可能となっている。この角度は、透光部８の上下幅と、巻取軸４ａ，４ｂの径によって決まる角度である。
【０１３０】
これにより、ボールチェーンの操作に基づいて回転されるプーリーを巻取軸４ｂに対し一体に回転可能に係着させることで、巻取軸４ｂの回転が操作可能となる。そして、巻取軸４ｂが回転すると、巻取軸４ａが所定の空回り角度を有して同一速度で同方向に回転するようになっている。
【０１３１】
特に、図９（ａ）に示す例では、巻取軸４ａ，４ｂ自体が、当該前後二重のスクリーンにおける当該相対移動範囲を持つよう空回りさせる空回り機構を有するよう構成される。これにより、第１スクリーン５ａ及び第２スクリーン５ｂの調光操作（通気調整操作を含む）及び昇降操作について、ボールチェーン等の操作で一括した操作が可能となる。また、巻取軸４ａ，４ｂの回転操作を行う操作装置の小型化にも寄与する。
【０１３２】
図９（ａ）に示す二重構造を有する巻取軸４ａ，４ｂの動作について説明する。尚、ウェイトバー７の構造は、上述した第１及び第２実施形態で説明したいずれの実施例及び変形例にも適用できる。
【０１３３】
まず、図９（ｂ）は、ウェイトバー７が下限位置にあるときの巻取軸４ａ，４ｂの断面図を概略図示している。
【０１３４】
図９（ｂ）に示すように、巻取軸４ａからは第１スクリーン５ａが垂下され、巻取軸４ｂからは巻取軸４ａの開口部４７を介して第２スクリーン５ｂが垂下される。伝達片４５の一端が伝達片４６の一端に当接している状態で、第１及び第２スクリーン５ａ，５ｂにおける透光部８と遮光部９とが前後方向で略平行となる状態にあるとする。
【０１３５】
続いて図９（ｃ）に示すように、ボールチェーンの操作に基づいて巻取軸４ｂを回転させ、伝達片４６の他端が伝達片４５の他端に当接するまで、巻取軸４ｂを巻取軸４ａに対し空回りさせる。この状態では、第１及び第２スクリーン５ａ，５ｂにおける透光部８と遮光部９とが前後方向で重なる状態にする。
【０１３６】
また、図９（ｄ）に示すように、ボールチェーンの操作に基づいて、伝達片４６の他端が伝達片４５の他端に当接した状態で、更に同方向に巻取軸４ｂを回転させることで、第１及び第２スクリーン５ａ，５ｂが同時に巻き取られる。或いは、伝達片４５の一端が伝達片４６の一端に当接した状態で、更に同方向に巻取軸４ｂを回転させることで、第１及び第２スクリーン５ａ，５ｂが同時に巻き戻される。
【０１３７】
これにより、ウェイトバー７が下限位置にあるときであれば、上述した第１及び第２実施形態で説明した各実施例及び変形例におけるウェイトバー７を適用したロールスクリーンを構成することで、第１及び第２スクリーン５ａ，５ｂを昇降可能とし、尚且つウェイトバー７を上下動させることなく採光量の調節動作を行うことができ、各実施例及び変形例におけるウェイトバー７による上述した利点を実現させることができる。
【０１３８】
（スクリーンの変形例）
上述した実施形態の例では、第１及び第２スクリーン５ａ，５ｂが、光を透過する透光部８と、光を遮光する遮光部９が等間隔で上下方向に縞状に形成されている例を説明したが、これに限定する必要はない。
【０１３９】
例えば、図１に示すロールスクリーンにおける第１及び第２スクリーン５ａ，５ｂの変形例として、図１０（ａ）に例示するように、第１及び第２スクリーン５ａ，５ｂが、ウェイトバー７が下限位置にあるときに第１及び第２スクリーン５ａ，５ｂの上下端部の所定領域のみ透光部８とし、その他の領域が遮光部９となるようにして採光量を調節可能とするロールスクリーンとすることができる。
【０１４０】
また、図１０（ｂ）に例示するように、透光部８と遮光部９を市松状（或いは千鳥状）とした第１及び第２スクリーン５ａ，５ｂとすることができる。
【０１４１】
また、図１０（ｃ）に例示するように、透光部８と遮光部９を斜平行に縞状とした第１及び第２スクリーン５ａ，５ｂとすることができる。
【０１４２】
総括するに、本発明に係るロールスクリーンは、前後二重のスクリーンにおける第１スクリーン５ａ及び第２スクリーン５ｂの各上端を所定の相対移動範囲を持つよう空回りさせて巻き取り、或いは巻戻し可能とする巻取手段（図２及び図８に示す例では巻取軸４ａ，４ｂ及び操作装置１０、図９に示す例では巻取軸４ａ，４ｂ自体）と、当該前後二重のスクリーンを張設するためのウェイトバー７とを備えるよう構成される。そして、ウェイトバー７は、第１スクリーン５ａの下端部を固定するボトムフレーム７ａと、第２スクリーン５ｂの下端部を出し入れ可能に予備保持する回転部材（ボトムパイプ７ｂ又はボトムバー７ｄ）とを備えるよう構成される。これにより、前後二重のスクリーンを相対移動させる際に、ウェイトバーの上下動を防止することができる。
【０１４３】
また、本発明に係るロールスクリーンでは、ウェイトバー７は、回転部材（ボトムパイプ７ｂ又はボトムバー７ｄ）に対し、当該相対移動範囲に対応する長さで第２スクリーン５ｂの下端部を予備保持可能とするスプリングモーター７１やぜんまい７１ａ等の付勢手段を有するよう構成される。これにより、第１及び第２スクリーン５ａ，５ｂの相対移動で調節する余剰分は、当該回転部材により予備保持されるため、第１及び第２スクリーン５ａ，５ｂにたわみが生じることが無くなり、尚且つウェイトバー７の小型化にも寄与することとなる。
【０１４４】
また、本発明に係るロールスクリーンでは、回転部材（ボトムパイプ７ｂ又はボトムバー７ｄ）をボトムフレーム７ａに隣接配置するよう構成することで、小型化に寄与する。より好適には回転部材（ボトムパイプ７ｂ又はボトムバー７ｄ）をボトムフレーム７ａに収容するよう構成することで、より一層小型化に寄与するとともに、前後二重のスクリーンを構成する第１スクリーン５ａ及び第２スクリーン５ｂをより近接させ、採光量の調節性能が向上させることができる。
【０１４５】
また、本発明に係るロールスクリーンでは、前後二重のスクリーンを構成する第１スクリーン５ａ及び第２スクリーン５ｂは、それぞれ透光部８及び遮光部９を有しており、当該前後二重のスクリーンにおける透光状態と遮光状態の切り替えを可能とするよう構成される。これにより、第１及び第２スクリーン５ａ，５ｂの相対移動で、採光量を調節することができる。
【０１４６】
また、本発明に係るロールスクリーンでは、当該相対移動範囲は、当該前後二重のスクリーンにおける透光状態と遮光状態の切り替えを可能とする範囲以上に設定されている。これにより、設定自由度の高い調光機能（通気調整機能を含む）を持たせたロールスクリーンを実現できる。
【０１４７】
また、本発明に係るロールスクリーンでは、巻取軸４ａ，４ｂは、第１スクリーン５ａ及び第２スクリーン５ｂをそれぞれ吊下するよう構成され、操作装置１０又は巻取軸４ａ，４ｂ自体が当該前後二重のスクリーンに当該相対移動範囲を持たせるよう空回りさせる空回り機構を有するよう構成される。これにより、第１スクリーン５ａ及び第２スクリーン５ｂの調光操作（通気調整操作を含む）及び昇降操作について、ボールチェーン等の操作で一括した操作が可能となる。
【０１４８】
また、本発明に係るロールスクリーンでは、第１スクリーン５ａ及び第２スクリーン５ｂは、同一ピッチで透光部８及び遮光部９が交互に繰り返される平行模様、斜平行模様、又は市松模様を含む千鳥模様、或いはウェイトバー７が下限位置にあるときに所定の上端近傍領域と下端近傍領域のいずれか一方又は双方が透光状態や遮光状態の切り替えを可能とする複数の領域を持つ複数領域模様を有するよう構成される。これにより、多様な生地種でロールスクリーンを調光可能に構成することができる。
【０１４９】
以上、特定の実施形態の例を挙げて本発明を説明したが、本発明は前述の実施形態の例に限定されるものではなく、その技術思想を逸脱しない範囲で種々変形可能である。例えば、上述した実施形態の例では、巻取軸４ａ，４ｂの回転操作のためにボールチェーンによる操作を例に説明したが、紐状の操作コードよる回転操作としてもよいし、巻取軸４ａ，４ｂを電動で回転操作するロールスクリーンでもよい。
【０１５０】
また、上述した実施形態の例では、ウェイトバー７におけるボトムパイプ７ｂ内にスプリングモーター７１を設けて構成する例を説明したが、スプリングモーター７１とする代わりにぜんまいとすることもでき、即ち第２スクリーン５ｂの下端部を予備保持可能な付勢手段であればよい。
【０１５１】
また、上述した実施形態の例では、ウェイトバー７におけるボトムフレーム７ａについて、パイプ状とするか、又はボトムカバーを構成する特定の例を説明したが、ボトムフレーム７ａは、第１スクリーン５ａの下端部を取着して固定可能とする形態であれば任意の形状・構造とすることができる。
【産業上の利用可能性】
【０１５２】
本発明によれば、前後二重のスクリーンの相対移動による採光量の調整時、更には昇降操作の切り替え時に、ウェイトバーの大型化を抑えつつウェイトバーの上下動を防止可能となるので、前後二重のスクリーンを有するロールスクリーンの用途に有用である。
【符号の説明】
【０１５３】
１  取付ブラケット
２  フレーム
３  支持ブラケット
４ａ，４ｂ  巻取軸
５ａ  第１スクリーン
５ｂ  第２スクリーン
７  ウェイトバー（錘部材）
７ａ  ボトムフレーム
７ｂ  ボトムパイプ
７ｃ  サイドキャップ
７ｄ  ボトムバー
８  透光部
９  遮光部
１０  操作装置
１１  ボールチェーン
７１  スプリングモーター
７１ａ  ぜんまい
【図１】
2018035564.tif 000003
【図２】
2018035564.tif 000004
【図３】
2018035564.tif 000005
【図４】
2018035564.tif 000006
【図５】
2018035564.tif 000007
【図６】
2018035564.tif 000008
【図７】
2018035564.tif 000009
【図８】
2018035564.tif 000010
【図９】
2018035564.tif 000011
【図１０】
2018035564.tif 000012